(57)【要約】  【課題】芳香剤の無駄な消費を防止すると共に、容器体内での芳香剤の補充が迅速に行えるようにする。【解決手段】  芳香剤が収納される容器体の口頸部４内面へ一端を液密に嵌合させて容器体内へ垂下して、他端が容器体底壁６に近接する長さの流量規制筒１０と、有頂の内外二重周壁から形成され、内周壁４１を容器体口頸部４外面へ嵌合させると共に、外周壁４２に芳香放散用の開口４３が形成された収納筒４０と、収納筒４０に収納された芳香剤含浸揮散用の含浸揮散材５０とを備え、容器体を倒立させることで流量規制筒１０内の芳香剤が含浸揮散材５０へ含浸可能に構成し、さらに流量規制筒１０の長さを、その他端が容器体倒立時において常に芳香剤の液面よりも高くなる寸法に定めた。【選択図】  図１
2008162650.tif 000002
【特許請求の範囲】
【請求項１】
芳香剤が収納される容器体の口頸部４内面へ一端を液密に嵌合させて容器体内へ垂下して、他端が容器体底壁６に近接する長さの流量規制筒１０と、
頂壁から垂下する周壁を前記容器体外面へ係合させると共に、芳香放散用の開口４３を形成した収納筒４０と、
前記収納筒４０に収納された芳香剤含浸揮散用の含浸揮散材５０とを備え、
前記容器体を倒立させることで前記流量規制筒１０を介して芳香剤が前記含浸揮散材５０へ含浸可能に構成し、
さらに、前記流量規制筒１０の長さを、その他端が容器体倒立時において常に芳香剤の液面よりも高くなる寸法に定めたことを特徴とする芳香剤放散容器。
【請求項２】
前記収納筒４０を有頂の内外二重周壁４１、４２で形成すると共に、前記流量規制筒１０内へ芳香剤を含浸可能な含浸体２０を充填し、
さらに、前記容器体口頸部４外面へ有頂中栓３０を着脱自在に嵌合させると共に、芳香を放散させる使用時には、前記中栓３０離脱後の容器体口頸部４外面へ前記収納筒内周壁４１を嵌合させることにより前記含浸揮散材５０を前記含浸体２０へ当接させ、該含浸体に保持された芳香剤が前記含浸揮散材５０へ含浸可能に構成したことを特徴とする請求項１記載の芳香剤放散容器。
【請求項３】
前記流量規制筒１０の他端から容器体底壁６へ向けて受筒１１を垂下すると共に、容器体倒立時、流量規制筒１０内への容器体内芳香剤の補充時に、容器体を振ることで跳ね上がる芳香剤を前記受筒１１内へ案内可能な案内面７を容器体底壁６に形成したことを特徴とする請求項１記載の芳香剤放散容器。
【発明の詳細な説明】
【技術分野】
【０００１】
本発明は、芳香剤を放散させる芳香剤放散容器に関する。
【背景技術】
【０００２】
容器体胴部の上端から、肩部を介して口頸部を起立し、該口頸部に嵌合させた保持筒から容器体内底壁まで吸上げ芯を垂下させて該吸上げ芯を介して吸上げられた容器体内の揮発性液体を容器体外方へ放出可能に設けた芳香剤等放出容器が知られている（特許文献１）。
【特許文献１】特開２００１−３１１６０号公報
【発明の開示】
【発明が解決しようとする課題】
【０００３】
特許文献１記載の発明では、不使用時においても、芳香剤と吸上げ芯とが接触状態にあるため、口頸部にキャップをしても吸上げ芯から芳香剤が放出されることになり、したがって、芳香剤が無駄に消費されるという問題があった。
【０００４】
本発明の主たる目的は、芳香剤の無駄な消費を防止可能な芳香剤放散容器を提供することにある。
【０００５】
本発明の他の目的は、容器体内での芳香剤の補充が迅速に行える芳香剤放散容器を提供することにある。
【課題を解決するための手段】
【０００６】
本発明は、芳香剤が収納される容器体の口頸部内面へ一端を液密に嵌合させて容器体内へ垂下して、他端が容器体底壁に近接する長さの流量規制筒と、頂壁から垂下する周壁を前記容器体外面へ係合させると共に、芳香放散用の開口４３を形成した収納筒４０と、前記収納筒に収納された芳香剤含浸揮散用の含浸揮散材とを備え、前記容器体を倒立させることで前記流量規制筒を介して芳香剤が前記含浸揮散材へ含浸可能に構成し、さらに、前記流量規制筒の長さを、その他端が容器体倒立時において常に芳香剤の液面よりも高くなる寸法に定めたことを特徴とする。
【０００７】
また、本発明は、前記収納筒４０を有頂の内外二重周壁４１、４２で形成すると共に、前記流量規制筒内へ芳香剤を含浸可能な含浸体を充填し、さらに、前記容器体口頸部外面へ有頂中栓を着脱自在に嵌合させると共に、芳香を放散させる使用時には、前記中栓離脱後の容器体口頸部外面へ前記収納筒内周壁を嵌合させることにより前記含浸揮散材を前記含浸体へ当接させ、前記含浸体に保持された芳香剤が前記含浸揮散材へ含浸可能に構成したことを特徴とする。
【０００８】
さらに、本発明は、前記流量規制筒の他端から容器体底壁へ向けて拡開する受筒を垂下すると共に、容器体倒立時、流量規制筒内への容器体内芳香剤の補充時に、容器体を振ることで跳ね上がる芳香剤を前記受筒内へ案内可能な案内面を容器体底壁に形成したことを特徴とする。
【発明の効果】
【０００９】
本発明は、不使用時には芳香剤と放散材との接触を遮断すると共に、使用時には適量の芳香剤が放散材に供給されるようにしたので、芳香剤の無駄な消費を防止可能である。
【００１０】
また、本発明は、容器体を振ることで跳ね上がる芳香剤の案内面を設けたので、容器体内での芳香剤の補充が迅速に行える。
【発明を実施するための最良の形態】
【００１１】
以下、図面に示す実施の形態を参照しながら本発明を説明する。
【００１２】
図１は不使用状態における芳香剤放散容器の半断面図を示すもので、１は容器体で、横断面円形状の胴部２上端中央部から肩部３を介して口頸部４を起立する。口頸部外面には雄ネジが形成されていると共に、雄ネジよりも下方部には嵌合突条５が周設されている。
【００１３】
容器体胴部２の底壁６の外周部は下方へ膨出して、後述するように、芳香剤補充時、容器体を振る際に跳ね上がる芳香剤を流量規制筒１０のテーパ状の受筒１１内へ案内する彎曲状案内面７を形成する。該案内面７は芳香剤をテーパ状の受筒へ案内するためのものであるから底壁６の外周部を膨出させている。
【００１４】
しかし、口頸部４が胴部２の上端中央から偏心している場合には、流量規制筒１０も胴部２の軸線から偏心しており、この場合には、これに応じて案内面７の形状も異なってくる。例えば、流量規制筒が胴部２の周面に近接している場合には、図４に示すように、胴部底壁６の全面を下方へ膨出させる。
【００１５】
なお、本実施形態では、案内面７を彎曲状に形成しているが、これに限定されることなく、跳ね上がる芳香剤を流量規制筒１０へ案内可能な形状であればよく、例えば、傾斜面でもよく、あるいは底壁６に彎曲状ないし傾斜状の溝を設けることも可能である。
【００１６】
１０は流量規制筒で、容器体口頸部４内面へ上端部を液密に嵌合させて容器体内へ垂下し、かつ、下端からは内向きフランジを介して下方へ拡開するテーパ状の受筒１１が垂設され、その下端は胴部底壁６の中央部に近接している。
【００１７】
容器体口頸部４へ嵌合された上端部は下方部よりも大外径部に形成され、かつ、該大外径部の上端には外向きフランジ１２が突設されていて、該外向きフランジは容器体口頸部４上端へ載置されている。
【００１８】
２０は含浸体で、テーパ状筒部１１を除く流量規制筒１０内へ充填されている。含浸体２０は芳香剤を含浸可能であれば、その材質に特に限定はない。
【００１９】
３０は中栓で、容器体口頸部４外面へ螺合させた螺合筒部３１上端から内向きフランジ３２を介して有頂の支持筒部３３を起立している。内向きフランジ３２は流量規制筒１０の外向きフランジ１２上に載置されており、該外向きフランジは内向きフランジ３２と容器体口頸部４とによって液密に挟持されている。
【００２０】
４０は収納筒で、有頂の内外二重周壁から形成され、内周壁４１を中栓の螺合筒部３１外面へ摺動自在に嵌合させている。一方、外周壁４２には、周方向に所定の間隔をおいて複数の芳香放散用の開口４３が形成されている。本実施形態では、収納筒は内外二重周壁から形成されているが、これに限らず内周壁４１を省略することも可能である。この場合には、外周壁４２下端部を胴部２上端部へ嵌合させる。
【００２１】
５０は含浸揮散材で、収納筒４０の上部、すなわち内周壁４１内と外周壁４２内とのそれぞれの上部内に充填されており、かつ、開口４３を介して芳香が過不足なく良好に放散されるように開口上部に臨んでいる。また、含浸揮散材は中栓３０の支持筒部３３によって中央部が下方から支持されている。この含浸揮散材５０は芳香剤を含浸・揮散するためのもので、本実施形態では不織布を使用する。
【００２２】
次に、作用について説明する。
【００２３】
図１は不使用状態を示すもので、容器体１は正立状態にあり、芳香剤Ａが含浸された含浸体２０と含浸揮散材５０とは離隔して接触が遮断されていると共に、含浸体２０の下部は液面より下方にあるため、含浸体２０は芳香剤を吸収可能な状態にある。
【００２４】
使用状態にするには、すなわち芳香剤を放散させるには、まず、収納筒４０を中栓３０の螺合筒部３１から上方へ離脱させる。次いで、中栓３０を容器体口頸部４から螺脱させた後、再度、収納筒４０の内周壁４１を容器体口頸部４の嵌合突条５へ嵌合させて、内周壁４１下端が容器体の肩部へ当接するまで押し下げる。すると、含浸揮散材５０が含浸体２０の上面に当接し、含浸体２０に含浸された芳香剤が含浸揮散材５０へ吸収され得る状態になる。
【００２５】
この状態から容器体を、図２に示すように倒立させれば、含浸体２０に含浸された芳香剤に重力が作用するため、芳香剤が含浸揮散材５０により吸収され易くなる。含浸揮散材５０に吸収保持された芳香剤は開口４３から放散される。
【００２６】
前述したように、流量規制筒１０のテーパ状の受筒は容器体底壁に近接しているから、換言すれば、テーパ状受筒は、図２に示す容器体の倒立状態においてその上端(図１では下端)が満量状態の芳香剤の液面よりも高いから、芳香剤が流量規制筒１０内へ流入することがなく、したがって、流量規制筒１０内に過剰の芳香剤が保有されることがなく、このため芳香剤の放散が過剰になることがない。
【００２７】
このように通常の使用状態では、流量規制筒１０内に芳香剤が流入することがないため、流量規制筒１０内の芳香剤の保有量が減少して、芳香剤の放散が希薄になってしまう。この場合には、容器体を左右に振ればよく、すると図３に示すように、芳香剤が跳ね上がり、跳ね上がった芳香剤は容器体底壁の外周部に形成された案内面７に案内されてテーパ状受筒１１内へ流入する。図４に示すように、案内面７が容器体底壁６の全面に形成されている場合も同様である。
【００２８】
上記では流量規制筒１０に含浸体２０を充填した例について説明したが、必ずしも含浸体２０は必要ではなく省略することも可能である。この場合には、容器体を倒立させると、流量規制筒１０内の芳香剤がその下端から流出するが、これは直ちに含浸揮散材５０に吸収されると共に、流量規制筒下端が含浸揮散材５０に近接しているため、流量規制筒下端から流出する芳香剤の量は含浸揮散材５０に吸収され得る程度であり、したがって、芳香剤が収納筒４０外に流出することがない。
【図面の簡単な説明】
【００２９】
【図１】本発明に係る容器の不使用状態を示す半断面図である。
【図２】容器を倒立させた使用状態を示す半断面図である。
【図３】芳香剤の補充時の状態を示す作用説明図である。
【図４】他の実施形態を示す図３相当図である。
【符号の説明】
【００３０】
１  容器体
２  胴部
３  肩部
４  口頸部
６  底壁
７  案内面
１０  流量規制筒
１１  テーパ状筒
２０  含浸体
３０  中栓
４０  収納筒
４１  内周壁
４２  外周壁
４３  開口
５０  含浸揮散材
【図１】
2008162650.tif 000003
【図２】
2008162650.tif 000004
【図３】
2008162650.tif 000005
【図４】
2008162650.tif 000006